(57)【特許請求の範囲】
【請求項１】
テキストデータと放送条件データとを取得する取得部と、
防災無線の子局としての屋外子局及び戸別受信機から出力する音声を定める音声データであって、前記戸別受信機から出力する場合と比較して長い時間をかけて前記屋外子局から出力する音声を定める前記屋外子局用の音声データと、前記戸別受信機から出力する音声を定める前記戸別受信機用の音声データとを、同一の前記テキストデータに基づいて作成する音声作成部と、
前記屋外子局向けの放送であることを前記放送条件データが示す場合、前記屋外子局用の呼出信号と前記屋外子局用の音声データとを選択し、前記戸別受信機向けの放送であることを前記放送条件データが示す場合、前記戸別受信機用の呼出信号と前記戸別受信機用の音声データとを選択する制御部と、
前記屋外子局用の呼出信号及び前記戸別受信機用の呼出信号のうち選択された呼出信号と、前記屋外子局用の音声データ及び前記戸別受信機用の音声データのうち選択された前記音声データの信号とを送信する送信部と、
を備える放送装置。
【請求項２】
前記屋外子局から出力する音声は、前記戸別受信機から出力する場合と比較して、前記テキストデータの文章の１文字あたりに割り当てられた発音の時間が長い音声である、請求項１に記載の放送装置。
【請求項３】
前記屋外子局から出力する音声は、前記戸別受信機から出力する場合と比較して、前記テキストデータの文章の１文節あたりに割り当てられた休止の時間が長い音声である、請求項１に記載の放送装置。
【請求項４】
前記制御部は、前記屋外子局用の呼出信号及び前記屋外子局用の音声データと、前記戸別受信機用の呼出信号及び前記戸別受信機用の音声とを、前記放送条件データに応じて定められた順に前記送信部から送信させる、請求項１に記載の放送装置。
【請求項５】
前記制御部は、緊急の放送を行うことを前記放送条件データが示す場合、前記屋外子局用の呼出信号と、前記戸別受信機用の呼出信号と、前記屋外子局用の音声データとを、一度に前記送信部から送信させる、請求項１に記載の放送装置。
【請求項６】
放送装置における放送方法であって、
テキストデータと放送条件データとを取得するステップと、
防災無線の子局としての屋外子局及び戸別受信機から出力する音声を定める音声データであって、前記戸別受信機から出力する場合と比較して長い時間をかけて前記屋外子局から出力する音声を定める前記屋外子局用の音声データと、前記戸別受信機から出力する音声を定める前記戸別受信機用の音声データとを、同一の前記テキストデータに基づいて作成するステップと、
前記屋外子局向けの放送であることを前記放送条件データが示す場合、前記屋外子局用の呼出信号と前記屋外子局用の音声データとを選択し、前記戸別受信機向けの放送であることを前記放送条件データが示す場合、前記戸別受信機用の呼出信号と前記戸別受信機用の音声データとを選択するステップと、
前記屋外子局用の呼出信号及び前記戸別受信機用の呼出信号のうち選択された呼出信号と、前記屋外子局用の音声データ及び前記戸別受信機用の音声データのうち選択された前記音声データの信号とを送信するステップと、
を含む放送方法。
【請求項７】
前記屋外子局から出力する音声は、前記戸別受信機から出力する場合と比較して、前記テキストデータの文章の１文字あたりに割り当てられた発音の時間が長い音声である、請求項６に記載の放送方法。
【請求項８】
前記屋外子局から出力する音声は、前記戸別受信機から出力する場合と比較して、前記テキストデータの文章の１文節あたりに割り当てられた休止の時間が長い音声である、請求項６に記載の放送方法。
【請求項９】
前記送信するステップでは、前記屋外子局用の呼出信号及び前記屋外子局用の音声データと、前記戸別受信機用の呼出信号及び前記戸別受信機用の音声とを、前記放送条件データに応じて定められた順に送信部が送信する、請求項６に記載の放送方法。
【請求項１０】
前記送信するステップでは、緊急の放送を行うことを前記放送条件データが示す場合、前記屋外子局用の呼出信号と、前記戸別受信機用の呼出信号と、前記屋外子局用の音声データとを、一度に送信部が送信する、請求項６に記載の放送方法。
【発明の詳細な説明】
【技術分野】
【０００１】
本発明の実施形態は、放送装置及び放送方法に関する。
【背景技術】
【０００２】
同報系防災無線等の放送システムでは、親局から電波を受信する子局として、屋外に設置される屋外用子局と、住宅等の屋内に設置される戸別受信機とがある。屋外子局の拡声器では、出力した音声が反響音の影響を受けないようにするため、放送内容をゆっくりと話す音声が出力される。一方、戸別受信機のスピーカでは、間延びして聞きづらい音声とならないようにするため、屋外子局用と同じ放送内容を通常の速さで話す音声が出力される。
【０００３】
放送装置を操作するオペレータは、屋外子局用の音声データを作成する操作を行い、更に、戸別受信機用の音声データを作成する操作も行う。このように、オペレータは、煩雑な操作を行わなければならない場合があった。
【先行技術文献】
【特許文献】
【０００４】
【特許文献１】特開２０１４−１７０１３５号公報
【特許文献２】特開２０１２−１７５２５６号公報
【特許文献３】特公平４−２０２９５号公報
【発明の概要】
【発明が解決しようとする課題】
【０００５】
本発明が解決しようとする課題は、より簡易な操作によって、屋外子局用の音声データと、戸別受信機用の音声データとを作成することができる放送装置及び放送方法を提供することである。
【課題を解決するための手段】
【０００６】
実施形態の放送装置は、取得部と、音声作成部と、制御部と、送信部とを持つ。取得部は、テキストデータと放送条件データとを取得する。音声作成部は、防災無線の子局としての屋外子局及び戸別受信機から出力する音声を定める音声データであって、戸別受信機から出力する場合と比較して長い時間をかけて屋外子局から出力する音声を定める屋外子局用の音声データと、戸別受信機から出力する音声を定める戸別受信機用の音声データとを、同一のテキストデータに基づいて作成する。制御部は、屋外子局向けの放送であることを放送条件データが示す場合、屋外子局用の呼出信号と屋外子局用の音声データとを選択し、戸別受信機向けの放送であることを放送条件データが示す場合、戸別受信機用の呼出信号と戸別受信機用の音声データとを選択する。送信部は、屋外子局用の呼出信号及び戸別受信機用の呼出信号のうち選択された呼出信号と、屋外子局用の音声データ及び戸別受信機用の音声データのうち選択された音声データの信号とを送信する。
【図面の簡単な説明】
【０００７】
【図１】一実施形態における、放送装置を備える放送システムの構成の例を示す図。
【図２】一実施形態における、音声データのテーブルデータの例を示す図。
【図３】一実施形態における、呼出信号のテーブルデータの例を示す図。
【図４】一実施形態における、音声作成の動作の例を示すフローチャート。
【図５】一実施形態における、放送の動作の例を示すフローチャート。
【発明を実施するための形態】
【０００８】
以下、実施形態の放送装置及び放送方法を、図面を参照して説明する。
図１は、放送装置を備える放送システムの構成の例を示す図である。放送システム１は、親局と子局とを備えるシステムであれば、特定の放送システムに限定されない。以下、放送システム１は、一例として、同報系防災無線の放送システムである。放送システム１は、放送装置２と、屋外子局３と、戸別受信機４とを備える。放送装置２は、親局である。屋外子局３と戸別受信機４とは、子局である。
【０００９】
屋外子局３は、複数でもよい。以下、屋外子局３−１〜３−Ｎ（Ｎは、１以上の整数）に共通する事項については、符号の一部を省略して、「屋外子局３」と表記する。戸別受信機４は、複数でもよい。以下、戸別受信機４−１〜４−Ｍ（Ｍは、１以上の整数）に共通する事項については、符号の一部を省略して、「戸別受信機４」と表記する。
【００１０】
放送装置２は、放送内容に応じた音源を、無線又は有線によって子局に送信する装置である。放送装置２は、例えば、情報を提供する自治体の市庁舎に設置される。放送装置２は、音声作成装置１０と、送信装置２０とを備える。音声作成装置１０は、取得部１１と、表示部１２と、メモリ１３と、音声作成部１４と、音声出力部１５と、制御部１６と、通信部１７とを備える。
【００１１】
取得部１１と、表示部１２と、音声作成部１４と、音声出力部１５と、制御部１６と、通信部１７と、送信装置２０との一部または全部は、例えば、ＣＰＵ（Central Processing Unit）等のプロセッサが、メモリ１３に記憶されたプログラムを実行することにより機能するソフトウェア機能部である。また、これらの機能部のうち一部または全部は、ＬＳＩ（Large Scale Integration）やＡＳＩＣ（Application Specific Integrated Circuit）等のハードウェア機能部であってもよい。
【００１２】
取得部１１は、マウス、キーボード、タッチパネル等の操作デバイスである。また、取得部１１は、外部の操作デバイスとの通信が可能であるコネクタ端子や無線インタフェースでもよい。取得部１１は、オペレータによる操作に応じて、放送内容に応じたテキストデータを取得する。取得部１１は、オペレータによる操作に応じて、休止を表す記号データ、読点を表す記号データ、又は、句点を表す記号データを含んでもよい。取得部１１は、取得したテキストデータと、取得した休止を表す記号データと、取得した読点を表す記号データと、取得した句点を表す記号データとを、制御部１６に出力する。
【００１３】
以下、屋外子局３から出力される音声を定める音声データを、「屋外子局用の音声データ」という。以下、戸別受信機４から出力される音声を定める音声データを、「戸別受信機用の音声データ」という。以下、屋外子局用の音声データと、戸別受信機用の音声データとに共通する事項については、「音声データ」と表記する。
【００１４】
取得部１１は、オペレータによる操作に応じて、作成指示信号を制御部１６に出力する。作成指示信号は、音声データの作成の開始を指示する信号である。取得部１１は、オペレータによる操作に応じて、放送指示信号を制御部１６に出力する。放送指示信号は、音声データの放送の開始を指示する信号である。取得部１１は、予め定められた時刻に放送指示信号を出力してもよい。取得部１１は、オペレータによる操作に応じて、放送条件データを制御部１６に出力する。放送条件データは、放送の条件を表すデータである。
【００１５】
放送条件データは、例えば、音声を出力する子局が属するグループを示す番号データ（以下、「グループ番号」という。）と、放送する音声を定める音声データを示す番号データ（以下、「音声データ番号」という。）と、放送する音声の音量を表す値データとを含む。すなわち、放送条件データは、屋外子局向けの放送であることを示す番号データを含んでもよい。放送条件データは、戸別受信機向けの放送であることを示す番号データを含んでもよい。また、放送条件データは、グループ番号の代わりに、音声を出力する子局を示す番号データを含んでもよい。
【００１６】
表示部１２は、表示装置である。表示部１２は、取得部１１がタッチパネルである場合、表示画面に取得部１１を備えてもよい。表示部１２は、制御部１６による制御に応じて画像を表示する。表示する画像は、各種の操作キーの画像を含む。操作キーは、例えば、「選択」、「実行」、「キャンセル」等の操作をオペレータが制御部１６に指示するための操作キーである。
【００１７】
表示する画像は、例えば、音声データを作成する指示をオペレータが制御部１６に対して行うための画像である。表示する画像は、取得部１１が取得したテキストデータに応じた文字列や数字を含む。表示する画像は、取得部１１が取得した休止を表す記号データ、読点を表す記号データ、又は、句点を表す記号データを含んでもよい。
【００１８】
表示する画像は、例えば、放送を実行する指示をオペレータが制御部１６に対して行うための画像である。表示する画像は、グループ番号と、テキストデータ番号とを含んでもよい。オペレータは、表示部１２が表示する画像を参照する。オペレータは、音声を出力する子局が属するグループのグループ番号と、放送する音声のテキストデータ番号とを、取得部１１を介して選択することができる。オペレータは、音声を出力する子局を示す番号を、取得部１１を介して選択してもよい。
【００１９】
メモリ１３は、ＲＡＭ（Random Access Memory）やレジスタ等の揮発性メモリを有する。データベース１１０は、ＲＯＭ（Read Only Memory）、フラッシュメモリ、ハードディスクドライブ等の不揮発性メモリ（非一時的な記録媒体）を有してもよい。不揮発性メモリは、ＣＰＵ等のプロセッサを動作させるためのプログラムを記憶する。
【００２０】
メモリ１３は、設定値記憶部１３０と、音声データ記憶部１３１と、呼出信号記憶部１３２とを備える。設定値記憶部１３０は、屋外子局用の設定値と、戸別受信機用の設定値とを記憶する。屋外子局用の設定値は、屋外子局用の音声データを作成するために、音声作成部１４によって参照されるパラメータ値である。戸別受信機用の設定値は、戸別受信機用の音声データを作成するために、音声作成部１４によって参照されるパラメータ値である。
【００２１】
設定値は、音声データの音声において放送内容（文字列や数字）が話される速度を表す値を含む。すなわち、設定値は、テキストデータの文章の１文字あたりに割り当てられた発音の時間を表す値を含む。設定値は、休止を表す記号データに対応する休止時間を表す値を含む。休止時間は、発音を休止する時間の長さである。屋外子局用の休止時間は、戸別受信機用の休止時間よりも長時間でよい。設定値は、読点を表す記号データに対応する休止時間を表す値を含む。設定値は、句点を表す記号データに対応する休止時間を表す値を含む。すなわち、設定値は、テキストデータの文章の１文節あたりに割り当てられた休止の時間を表す値を含む。休止を表す記号データと、読点を表す記号データと、句点を表す記号データとは、オペレータによってテキストデータに定められる。
【００２２】
音声データ記憶部１３１は、音声データのテーブルデータと、屋外子局用の音声データと、戸別受信機用の音声データとを記憶する。音声データは、例えば、音声ファイルとして記憶される。
呼出信号記憶部１３２は、呼出信号のテーブルデータと、呼出信号とを記憶する。
【００２３】
図２は、音声データのテーブルデータの例を示す図である。音声データのテーブルデータでは、テキストデータ番号と、屋外子局用の音声データ番号と、戸別受信機用の音声データ番号とが、対応付けられている。音声データ番号は、対応付けられたテキストデータ番号のテキストデータに基づいて作成された音声データを示す番号である。図２では、テキストデータ番号「Ｔ１」と、屋外子局用の音声データ番号「Ａ１」と、戸別受信機用の音声データ番号「Ａ２」とが対応付けられている。テキストデータ番号「Ｔ２」と、屋外子局用の音声データ番号「Ｂ１」と、戸別受信機用の音声データ番号「Ｂ２」とが対応付けられている。
【００２４】
例えば、オペレータがテキストデータ番号「Ｔ１」を選択した場合、屋外子局用の音声データ番号「Ａ１」の音声データの音声と、戸別受信機用の音声データ番号「Ａ２」の音声データの音声とのうち少なくとも一方が、選択された子局から出力される。
【００２５】
図３は、呼出信号のテーブルデータの例を示す図である。呼出信号のテーブルデータでは、グループ番号と、屋外子局番号と、屋外子局用の呼出信号と、戸別受信機番号と、戸別受信機用の呼出信号とが、対応付けられている。屋外子局番号は、屋外子局３を示す番号である。屋外子局用の呼出信号は、音声を出力する屋外子局３を特定する信号である。戸別受信機番号は、戸別受信機４を示す番号である。戸別受信機用の呼出信号は、音声を出力する戸別受信機４を特定する信号である。
【００２６】
図３では、グループ番号「Ｇ１」と、屋外子局番号「３−１〜３−Ｎ」と、屋外子局用の呼出信号「Ｓ１」と、戸別受信機番号「４−１〜４−Ｍ」と、戸別受信機用の呼出信号「Ｓ２」とが、対応付けられている。例えば、オペレータがグループ番号「Ｇ１」を選択した場合、屋外子局用の呼出信号「Ｓ１」によって、屋外子局番号「３−１〜３−Ｎ」が割り当てられた屋外子局３が呼び出される。屋外子局３は、呼び出されることによって、音声を出力する子局として特定される。特定された屋外子局３は、受信した屋外子局用の音声データの音声を出力する。さらに、戸別受信機用の呼出信号「Ｓ２」によって、戸別受信機番号「４−１〜４−Ｍ」が割り当てられた戸別受信機４が呼び出される。戸別受信機４は、呼び出されることによって、音声を出力する子局として特定される。特定された戸別受信機４は、受信した戸別受信機用の音声データの音声を出力する。
【００２７】
グループ番号「Ｇ２」と、屋外子局番号「３−１〜３−ｎ（ｎは、１〜Ｎのいずれか）」と、屋外子局用の呼出信号「Ｓ３」と、戸別受信機番号「４−１〜４−ｍ（ｍは、１〜Ｍのいずれか）」と、戸別受信機用の呼出信号「Ｓ４」とが、対応付けられている。例えば、オペレータがグループ番号「Ｇ２」を選択した場合、屋外子局用の呼出信号「Ｓ３」によって、屋外子局番号「３−１〜３−ｎ」が割り当てられた屋外子局３が呼び出される。屋外子局３は、呼び出されることによって、音声を出力する子局として特定される。特定された屋外子局３は、受信した屋外子局用の音声データの音声を出力する。さらに、戸別受信機用の呼出信号「Ｓ４」によって、戸別受信機番号「４−１〜４−ｍ」が割り当てられた戸別受信機４が呼び出される。戸別受信機４は、呼び出されることによって、音声を出力する子局として特定される。特定された戸別受信機４は、受信した戸別受信機用の音声データの音声を出力する。
【００２８】
グループ番号「Ｇ３」と、屋外子局番号「３−１〜３−Ｎ」と、屋外子局用の呼出信号「Ｓ５」と、戸別受信機番号「無し」と、戸別受信機用の呼出信号「無し」とが、対応付けられている。例えば、オペレータがグループ番号「Ｇ３」を選択した場合、屋外子局用の呼出信号「Ｓ５」によって、屋外子局番号「３−１〜３−Ｎ」が割り当てられた屋外子局３のみが呼び出される。屋外子局３は、呼び出されることによって、音声を出力する子局として特定される。特定された屋外子局３は、受信した屋外子局用の音声データの音声を出力する。
【００２９】
グループ番号「Ｇ４」と、屋外子局番号「無し」と、屋外子局用の呼出信号「無し」と、戸別受信機番号「４−１〜４−Ｍ」と、戸別受信機用の呼出信号「Ｓ６」とが、対応付けられている。例えば、オペレータがグループ番号「Ｇ４」を選択した場合、戸別受信機用の呼出信号「Ｓ６」によって、戸別受信機番号「４−１〜４−Ｍ」が割り当てられた戸別受信機４のみが呼び出される。戸別受信機４は、呼び出されることによって、音声を出力する子局として特定される。特定された戸別受信機４は、受信した屋外子局用の音声データの音声を出力する。
【００３０】
以下、屋外子局用の呼出信号（屋外子局向けの呼出信号）と、戸別受信機用の呼出信号（戸別受信機向けの呼出信号）とに共通する事項については、「呼出信号」と表記する。呼出信号は、例えば、１６ビットの二進数で表現された屋外子局番号又は戸別受信機番号を含んでもよい。呼出信号は、例えば、子局ごとに付与された信号である。呼出信号は、例えば、全ての子局を一括して呼び出すための一括番号を含む信号でもよい。なお、ＡＲＩＢ  ＳＴＤ−Ｔ８６規格では、一括番号は１６ビット全て０の番号である。グループ番号や個別番号の割り当てについては、本規格では規定されていない。
【００３１】
音声作成部１４は、制御部１６による制御に応じて、屋外子局用の設定値と、戸別受信機用の設定値とを、設定値記憶部１３０から取得する。音声作成部１４は、テキストデータと、休止を表す記号データと、句点を表す記号データと、読点を表す記号データとを、制御部１６から取得する。
【００３２】
音声作成部１４は、屋外子局用の設定値と、取得したテキストデータと、取得した休止を表す記号データと、取得した句点を表す記号データと、取得した読点を表す記号データとに基づいて、屋外子局用の音声データを作成（合成）する。屋外子局用の音声データの音声は、戸別受信機用の音声データの音声と比較して、ゆっくりと話される音声である。すなわち、屋外子局用の音声データの音声は、戸別受信機用の音声データの音声と比較して、テキストデータの１文字あたりに割り当てられた発音の時間が長い音声である。
【００３３】
また、屋外子局用の音声データの音声は、戸別受信機用の音声データの音声と比較して、句点や読点によって定まる休止時間が長い音声である。すなわち、屋外子局用の音声データの音声は、戸別受信機用の音声データの音声と比較して、テキストデータの１文節あたりに割り当てられた休止の時間が長い音声である。音声作成部１４は、作成した屋外子局用の音声データを、取得したテキストデータを表すテキストデータ番号に対応付けて、音声データ記憶部１３１に記憶させる。音声作成部１４は、作成した屋外子局用の音声データを、ファイル形式で音声データ記憶部１３１に記憶させてもよい。
【００３４】
音声作成部１４は、戸別受信機用の設定値と、屋外子局用の音声データを作成する場合に使用した各種データとに基づいて、戸別受信機用の音声データを作成（合成）する。各種データは、テキストデータと、休止を表す記号データと、句点を表す記号データと、読点を表す記号データとである。音声作成部１４は、作成した戸別受信機用の音声データを、取得したテキストデータを表すテキストデータ番号に対応付けて、音声データ記憶部１３１に記憶させる。音声作成部１４は、作成した戸別受信機用の音声データを、ファイル形式で音声データ記憶部１３１に記憶させてもよい。
【００３５】
なお、音声作成部１４は、放送する音声の高低を表す値データを、取得部１１を介して、制御部１６から取得してもよい。音声作成部１４は、音声の話す速度を低下させた場合でも、音声が低くならないように、取得した値データに応じて音声の高低を補正してもよい。
【００３６】
音声出力部１５は、音声出力装置である。音声出力部１５は、スピーカやヘッドフォン端子を備えてもよい。音声出力部１５は、オペレータによる操作に応じて、音声作成部１４が作成した音声データごとに、制御部１６から出力された音声信号の音声を出力する。
【００３７】
制御部１６は、作成指示信号を取得した場合、取得したテキストデータと、取得した休止を表す記号データと、取得した句点を表す記号データと、取得した読点を表す記号データとに基づいて音声データを作成するように、音声作成部１４を制御する。
【００３８】
制御部１６は、オペレータによる操作に応じて、テキストデータ番号を取得する。制御部１６は、テキストデータ番号に対応付けられた音声データ番号に基づいて、音声データを音声データ記憶部１３１から取得する。制御部１６は、取得した音声データに応じた音声信号を、音声出力部１５に出力する。制御部１６は、音声データがデジタル信号で表されている場合、デコードした音声データに応じた音声信号を、音声出力部１５に出力する。
【００３９】
制御部１６は、放送条件データと放送指示信号とを取得した場合、放送条件データに含まれている番号データ等に基づいて、通信部１７を制御する。例えば、制御部１６は、取得した放送条件データに含まれているグループ番号に基づいて、屋外子局用の呼出信号と、戸別受信機用の呼出信号とのうち少なくとも一方を、図３に示す呼出信号のテーブルデータから選択する。制御部１６は、グループ番号の代わりに取得した屋外子局番号に基づいて、屋外子局用の呼出信号を、呼出信号のテーブルデータから選択してもよい。制御部１６は、グループ番号の代わりに取得した戸別受信機番号に基づいて、戸別受信機用の呼出信号を、呼出信号のテーブルデータから選択してもよい。
【００４０】
制御部１６は、呼出信号のテーブルデータにおいて、選択した屋外子局用の呼出信号が「無し」でない場合、取得したテキストデータ番号に対応する屋外子局用の音声データ番号を、音声データのテーブルデータから取得する。制御部１６は、取得した屋外子局用の音声データ番号に対応する音声データを、音声データ記憶部１３１から取得する。制御部１６は、選択した屋外子局用の呼出信号と、取得した屋外子局用の音声データとを、通信部１７に転送する。
【００４１】
制御部１６は、呼出信号のテーブルデータにおいて、選択した戸別受信機用の呼出信号が「無し」でない場合、取得したテキストデータ番号に対応する戸別受信機用の音声データ番号を、音声データのテーブルデータから取得する。制御部１６は、取得した戸別受信機用の音声データ番号に対応する音声データを、音声データ記憶部１３１から取得する。制御部１６は、選択した戸別受信機用の呼出信号と、取得した戸別受信機用の音声データとを、通信部１７に転送する。
【００４２】
制御部１６は、屋外子局用の呼出信号と、戸別受信機用の呼出信号とを、取得した音声データの音声の出力時間の長さに応じた時間間隔を空けて、通信部１７にそれぞれ転送してもよい。
【００４３】
制御部１６は、指示された放送が緊急の放送（緊急放送）であるか否かを、放送条件データに基づいて判定する。制御部１６は、指示された放送が緊急の放送である場合、選択した屋外子局用の呼出信号と、選択した戸別受信機用の呼出信号と、取得した屋外子局用の音声データとを、一度に通信部１７に転送する。呼出信号等が一度に通信部１７に転送された場合、屋外子局３及び戸別受信機４は、通信部１７を介して送信装置２０から受信した音声データの信号に応じた音声を、予め定められた短時間で出力する。
【００４４】
通信部１７は、制御部１６から取得した呼出信号と音声データとを、送信装置２０に転送する。
【００４５】
送信装置２０（送信部）は、通信部１７から転送された屋外子局用の呼出信号と、通信部１７から転送された屋外子局用の音声データの信号とを、予め定められた地域に向けて、無線又は有線によって送信する。予め定められた地域は、屋外子局３と戸別受信機４とのうち少なくとも一方が設置された地域である。送信装置２０は、通信部１７から転送された戸別受信機用の呼出信号と、通信部１７から転送された戸別受信機用の音声データの信号とを、予め定められた地域に向けて、無線又は有線によって送信する。
【００４６】
屋外子局３は、音声出力装置である。屋外子局３は、屋外の予め定められた位置に設置される。屋外子局３は、受信部３０と、制御部３１と、拡声器３２とを備える。受信部３０は、呼出信号と音声データの信号とを、無線又は有線によって放送装置２から受信する。
【００４７】
制御部３１は、受信した呼出信号に基づいて、自局が呼び出されたか否かを判定する。制御部３１は、自局に対応付けられた屋外子局用の呼出信号を受信した場合、自局が呼び出されたと判定する。制御部３１は、自局が呼び出されたと判定した場合、放送装置２から受信した屋外子局用の音声データの音声信号を、拡声器３２に出力する。制御部３１は、音声データがデジタル信号で表されている場合、屋外子局用の音声データをデコードしてから、デコードした音声データの音声信号を拡声器３２に出力する。
【００４８】
拡声器３２は、トランペットスピーカと、アンプとを備える。拡声器３２は、制御部３１から取得した音声信号に応じて、戸別受信機４と比較して高い音量で、トランペットスピーカから音声を出力する。
【００４９】
戸別受信機４は、音声出力装置である。戸別受信機４は、予め定められた住宅等の屋内に設置される。戸別受信機４は、受信部４０と、制御部４１と、スピーカ４２とを備える。受信部４０は、呼出信号と音声データの信号とを、無線又は有線によって放送装置２から受信する。
【００５０】
制御部４１は、受信した呼出信号に基づいて、自局が呼び出されたか否かを判定する。制御部４１は、自局に対応付けられた戸別受信機用の呼出信号を受信した場合、自局が呼び出されたと判定する。制御部４１は、自局が呼び出されたと判定した場合、放送装置２から受信した戸別受信機用の音声データの音声信号を、スピーカ４２に出力する。制御部４１は、音声データがデジタル信号で表されている場合、戸別受信機用の音声データをデコードしてから、デコードした音声データの音声信号をスピーカ４２に出力する。
スピーカ４２は、制御部４１から取得した音声信号に応じて音声を出力する。
【００５１】
次に、実施形態の放送装置２の動作を説明する。
図４は、音声作成の動作の例を示すフローチャートである。
取得部１１は、オペレータによる操作に応じて、テキストデータを取得する。取得部１１は、オペレータによる操作に応じて、休止記号を更に取得してもよい（ステップＳ１０１）。
制御部１６は、オペレータが取得部１１に対して行った操作に応じて、作成指示信号を音声作成部１４に送信する（ステップＳ１０２）。
【００５２】
音声作成部１４は、取得部１１が取得したテキストデータと、屋外子局用の設定値とに基づいて、屋外子局用の音声データ（音源）を作成する（ステップＳ１０３）。
音声作成部１４は、屋外子局用の音声データを作成する場合に使用したテキストデータと、戸別受信機用の設定値とに基づいて、戸別受信機用の音声データ（音源）を作成する（ステップＳ１０４）。
【００５３】
音声出力部１５は、音声作成部１４が作成した音声データを、制御部１６による制御に応じて音声データごとに出力する（ステップＳ１０５）。これにより、オペレータは、戸別受信機用の音声データに基づく音声と、屋外子局用の音声データに基づく音声とを、それぞれ試聴することができる。
【００５４】
制御部１６は、戸別受信機用の音声データを修正するか否かを、オペレータが取得部１１に対して行った操作に応じて判定する。また、制御部１６は、予め定められた時間内に取得部１１が操作されなかった場合、戸別受信機用の音声データを修正しない、と判定してもよい（ステップＳ１０６）。
【００５５】
戸別受信機用の音声データを修正しない場合（ステップＳ１０６：ＮＯ）、制御部１６は、屋外子局用の音声データを修正するか否かを、オペレータが取得部１１に対して行った操作に応じて判定する。また、制御部１６は、予め定められた時間内に取得部１１が操作されなかった場合、屋外子局用の音声データを修正しない、と判定してもよい（ステップＳ１０７）。なお、ステップＳ１０６とステップＳ１０７の順序は逆でもよい。
【００５６】
屋外子局用の音声データを修正しない場合（ステップＳ１０７：ＮＯ）、制御部１６は、屋外子局用の音声データと、戸別受信機用の音声データとを、音声データ記憶部１３１に記憶させる（ステップＳ１０８）。制御部１６は、図４に示す処理を終了する。
【００５７】
戸別受信機用の音声データを修正する場合（ステップＳ１０６：ＹＥＳ）、制御部１６は、オペレータが取得部１１に対して行った操作に応じて、戸別受信機用の設定値を修正する（ステップＳ１０９）。制御部１６は、ステップＳ１０１に処理を戻す。
戸別受信機用の音声データを修正する場合（ステップＳ１０７：ＹＥＳ）、制御部１６は、オペレータが取得部１１に対して行った操作に応じて、屋外子局用の設定値を修正する（ステップＳ１１０）。制御部１６は、ステップＳ１０１に処理を戻す。
【００５８】
図５は、放送の動作の例を示すフローチャートである。
取得部１１は、オペレータによる操作に応じて、放送条件データを取得する（ステップＳ２０１）。
制御部１６は、オペレータが取得部１１に対して行った操作に応じて、放送指示信号を音声作成部１４に送信する（ステップＳ２０２）。
【００５９】
制御部１６は、放送条件データに基づいて、指示された放送が緊急の放送（緊急放送）であるか否かを判定する（ステップＳ２０３）。
指示された放送が緊急の放送でない場合（ステップＳ２０３：ＮＯ）、制御部１６は、屋外子局３のみを呼び出すか否かを判定する（ステップＳ２０４）。
少なくとも戸別受信機４を呼び出す場合（ステップＳ２０４：ＮＯ）、制御部１６は、戸別受信機４のみを呼び出すか否かを判定する（ステップＳ２０５）。なお、ステップＳ２０４とステップＳ２０５の順序は逆でもよい。
【００６０】
屋外子局３と戸別受信機４とを呼び出す場合（ステップＳ２０５：ＮＯ）、制御部１６は、放送条件データに基づいて、グループの戸別受信機用の呼出信号と、戸別受信機用の音声データとを、送信装置２０を介して戸別受信機４に放送する（ステップＳ２０６）。
【００６１】
制御部１６は、放送条件データに基づいて、グループの屋外子局用の呼出信号と、屋外子局用の音声データとを、送信装置２０を介して屋外子局３に放送する（ステップＳ２０７）。なお、ステップＳ２０６とステップＳ２０７の順序は逆でもよい。
【００６２】
指示された放送が緊急の放送である場合（ステップＳ２０３：ＹＥＳ）、制御部１６は、放送条件データに基づいて、グループの呼出信号と、指定された音声データとを、送信装置２０を介して屋外子局３及び戸別受信機４に放送する（ステップＳ２０８）。制御部１６は、図５に示す処理を終了する。
【００６３】
屋外子局３のみを呼び出す場合（ステップＳ２０４：ＹＥＳ）、制御部１６は、放送条件データに基づいて、グループの屋外子局用の呼出信号と、指定された屋外子局用の音声データとを、送信装置２０を介して屋外子局３に放送する（ステップＳ２０９）。制御部１６は、図５に示す処理を終了する。
【００６４】
戸別受信機４のみを呼び出す場合（ステップＳ２０５：ＹＥＳ）、制御部１６は、放送条件データに基づいて、グループの戸別受信機用の呼出信号と、指定された戸別受信機用の音声データとを、送信装置２０を介して戸別受信機４に放送する（ステップＳ２１０）。制御部１６は、図５に示す処理を終了する。
【００６５】
以上のように、実施形態の放送装置２は、取得部１１と、音声作成部１４と、制御部１６と、送信装置２０とを持つ。取得部１１は、テキストデータと放送条件データとを取得する。音声作成部１４は、防災無線の子局としての屋外子局３及び戸別受信機４から出力する音声を定める音声データであって、戸別受信機４から出力する場合と比較して長い時間をかけて屋外子局３から出力する音声を定める屋外子局用の音声データと、戸別受信機４から出力する音声を定める戸別受信機用の音声データとを、同一のテキストデータに基づいて作成する。制御部１６は、屋外子局向けの放送であることを放送条件データが示す場合、屋外子局用の呼出信号と屋外子局用の音声データとを選択し、戸別受信機向けの放送であることを放送条件データが示す場合、戸別受信機用の呼出信号と戸別受信機用の音声データとを選択する。送信装置２０は、屋外子局用の呼出信号及び戸別受信機用の呼出信号のうち選択された呼出信号と、屋外子局用の音声データ及び戸別受信機用の音声データのうち選択された音声データの信号とを送信する。
これにより、実施形態の放送システム１、放送装置２、及び放送方法は、より簡易な操作によって、屋外子局用の音声データと、戸別受信機用の音声データとを作成することができる。
【００６６】
実施形態の放送システム１、放送装置２、及び放送方法は、オペレータが煩雑な操作を行わなくても、放送内容が聞きづらくならない様にすることができる。
実施形態の屋外子局３が出力する音声は、屋外の反響音の影響を考慮してゆっくりと話す音声であり、更に文節ごとに数秒の休止が入ってもよい音声であるため、聞きづらくならない。また、実施形態の戸別受信機４が出力する音声は、間延びせず、聞きづらくならない。実施形態の子局が出力する音声は、子局の設置場所に適した音声である。聴衆は、放送内容を把握しやすい。オペレータは、屋外子局用の音声データと、戸別受信機用の音声データとを、音声作成させるための一度の操作で作成できるようになる。
【００６７】
実施形態の放送システム１、放送装置２、及び放送方法では、音声データを子局ごとに指定して放送させるという煩雑な操作をオペレータが行う必要がないので、オペレータによる作業は煩雑にならない。
【００６８】
以上説明した少なくともひとつの実施形態によれば、防災無線の子局としての屋外子局３及び戸別受信機４から出力する音声を定める音声データであって、戸別受信機４から出力する場合と比較して長い時間をかけて屋外子局３から出力する音声を定める屋外子局用の音声データと、戸別受信機４から出力する音声を定める戸別受信機用の音声データとを、同一のテキストデータに基づいて作成する音声作成部１４を持つことにより、より簡易な操作によって、屋外子局用の音声データと、戸別受信機用の音声データとを作成することができる。
【００６９】
以上、本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００７０】
１…放送システム、２…放送装置、３…屋外子局、４…戸別受信機、１０…音声作成装置、１１…取得部、１２…表示部、１３…メモリ、１４…音声作成部、１５…音声出力部、１６…制御部、２０…送信装置、３０…受信部、３１…制御部、３２…拡声器、４０…受信部、４１…制御部、４２…スピーカ、１３０…設定値記憶部、１３１…音声データ記憶部、１３２…呼出信号記憶部
【図１】
0006325470.tif 000002
【図２】
0006325470.tif 000003
【図３】
0006325470.tif 000004
【図４】
0006325470.tif 000005
【図５】
0006325470.tif 000006